(57)【要約】      （修正有）【課題】内部に紙芝居用の絵板を収容した状態であっても絵板の順番を確認することができると共に、絵板の枚数が増減しても収容部内きちんと収容することができる組立式紙芝居舞台を提供する。【解決手段】組立式紙芝居舞台１は、可撓性を有する材料によって前板部３と、天井板部５と、底板部６と、後板部４を備えて箱形に形成され、天井板部５及び底板部６には前後方向への伸縮を可能にする複数の切込線が設けられると共に、天井板部５には収容部内に収容された絵板を確認するための窓部１４が設けられている。そして、紙芝居の絵板は、表面に絵柄が描かれた菓子が用いられる。【選択図】図１
2014200317.tif 000002
【特許請求の範囲】
【請求項１】
内部に紙芝居の絵板を収容可能な収容部を有し、前記絵板に描かれた絵を露出させる開口部と、左右の側面の少なくとも一方に設けられた前記絵板を挿抜する挿抜口を備えた組立式紙芝居舞台において、
前記組立式紙芝居舞台は可撓性を有する材料によって形成され、天井板部及び底板部には前後方向への伸縮を可能にする複数の切込線が設けられると共に、前記天井板部には前記収容部内に収容された前記絵板を確認するための窓部が設けられていることを特徴とする組立式紙芝居舞台。
【請求項２】
請求項１に記載の組立式紙芝居舞台において、
前記絵板は、表面に絵が描かれた菓子であることを特徴とする組立式紙芝居舞台。
【請求項３】
請求項１又は２に記載の組立式紙芝居舞台において、
前記組立式紙芝居舞台の後部覆いは、前記絵板の挿抜を補助するための１又は複数の溝部を備えていることを特徴とする組立式紙芝居舞台。
【請求項４】
請求項３に記載の組立式紙芝居舞台において、
前記溝部は、複数の折り目によって形成されることを特徴とする組立式紙芝居舞台。
【請求項５】
請求項１から４のいずれか１項に記載の組立式紙芝居舞台において、
前記組立式紙芝居舞台は、１枚の平板状の型紙によって提供され、前記型紙には組み立てを補助するための切り込み及び折り目が設けられていることを特徴とする組立式紙芝居舞台。
【請求項６】
請求項２から４のいずれか１項に記載の組立式紙芝居舞台において、
前記組立式紙芝居舞台は、前記絵板である菓子を収容するパッケージによって提供され、前記パッケージには組み立てを補助するための切り込み及び折り目が設けられていることを特徴とする組立式紙芝居舞台。
【請求項７】
請求項５又は６に記載の組立式紙芝居舞台において、
前記型紙又は前記パッケージには、切り込みによって分離可能な反射部材が設けられていることを特徴とする組立式紙芝居舞台。
【発明の詳細な説明】
【技術分野】
【０００１】
本発明は、組立式紙芝居舞台に関し、さらに詳しくは、例えば、表面に紙芝居用の絵が描かれた煎餅などの菓子類を購入した需要者が自ら組み立てて、菓子類を紙芝居の絵板として用いることにより紙芝居を楽しむことができる組立式紙芝居舞台に関する。
【背景技術】
【０００２】
テレビが普及する以前に人気であった紙芝居は、複数枚のＢ４サイズ程度の用紙やボード等の表面にお伽噺の場面等の絵を描画し、その裏面側に筋書きやセリフを記載した絵板と、この絵板を収容可能な枠状の紙芝居舞台とを用意し、物語の進行に合わせて絵板の最前列の用紙やボードを順次入れ換えながら話を進めるものである。絵板の表面に描かれた絵と裏面に記載された文章は一致しておらず、絵板を予め定められた順番に並べた場合に最前列に位置する絵板の表面に描かれた絵の説明文はそのときに最後列に位置する絵板の裏面に示されるようになっている。
【０００３】
従来の紙芝居舞台として、例えば、特許文献１に示すものがある。この紙芝居舞台１００は、図１０に示すように、天扉１０３、左扉１０４及び右扉１０５を含む正面扉体１０１を備え、これらは底板と、この底板の両側に立設された左右一対の右側板及び左側と、この一対の側板の上端に設けられた天板とを備えた枠体（いずれも図示せず）に取り付けられている。そして、天扉１０３はその天扉内側１０７が一対のヒンジ１１６，１１６によって観客側となる縁枠体１０２の側部に結合され、左扉１０４及び右扉１０５はその左扉内側１０８及び左扉内側１０９が各一対のヒンジ１１６，１１６によって縁枠体１０２に結合されている。さらに、縁枠体１０２の中央部には紙芝居シート表示部１１０が開口されている。
【０００４】
また、紙で形成した紙芝居用舞台も提供されている。例えば、特許文献２は、紙製の紙芝居舞台は折れ曲がったり反り返ったりするため、一番前の絵板を抜き出して一番後ろに挿入する際に縁部に引っかかってうまく差し込めないことがあり、そのような場合でも挿抜がスムーズに行うことができるようにした紙製の紙芝居舞台が提案されている。
【０００５】
一方、特許文献３には、チョコレート等の菓子の表層面に図柄を印刷する装置が開示されている。
【先行技術文献】
【特許文献】
【０００６】
【特許文献１】実用新案登録第３０９００５７号公報
【特許文献２】実開平２−１４９３００号公報
【特許文献３】実開平４−６６８３号公報
【発明の概要】
【発明が解決しようとする課題】
【０００７】
特許文献１，２に示すような従来の紙芝居舞台の場合、一番前に位置している絵板がどのような絵板であるかは演者が前を覗き込んで現に表示されている絵を確認する必要があった。また、紙芝居舞台に絵板を収容した後では絵板が物語の順番にきちんと並んでいるかは一旦絵板を引き出して確認せざるを得ないことから演技中における絵板の順番の確認は困難であった。
【０００８】
また、特許文献１の紙芝居舞台は木製であるため形状は固定されており、挿入する絵板の枚数が許容枚数よりも少なければ全てを収容することが可能であるが収容部に大きな隙間が空いてしまうので挿入された絵板は真っ直ぐに保持されずガタついてしまうという問題がある。一方で、その許容枚数よりも多い場合には収容することができないのはもちろんである。また、特許文献２の紙芝居舞台は紙製であるため容易に変形するであろうがそれでも収容可能な絵板の枚数は決まっており、絵板の枚数が増えた場合には全てを収容することができない。
【０００９】
一方、チョコレートなどの菓子の表面に図柄を印刷することは、例えば、特許文献３に示されているが、複数の菓子の表面に図柄をそれぞれ物語調に印刷することにより菓子を紙芝居の絵板として利用するということは示されていない。また、菓子を紙芝居用の絵板として使用した場合には紙芝居舞台の形状が固定されていると挿抜の際に菓子が容易に割れるおそれがある。
【００１０】
そこで、本発明は、前を覗き込まなくても一番前に位置している絵板がどのような絵板であるかを演者が瞬時に確認することが可能であり、しかも、紙芝居舞台に絵板を収容した後でも絵板が順番にきちんと並んでいるかを演者が確認することが可能な組立式紙芝居舞台を提供することを目的とする。
【００１１】
また、本発明は、収容すべき絵板の枚数が増減しても収容部内に収容することができる組立式紙芝居舞台を提供することを目的とする。
【００１２】
さらに、菓子の表面に図柄を印刷することによって形成された紙芝居用の絵板であっても紙芝居舞台への挿抜の際に容易に割れることがない組立式紙芝居舞台を提供することを目的とする。
【課題を解決するための手段】
【００１３】
上記課題を解決するために請求項１に記載の発明は、内部に紙芝居の絵板を収容可能な収容部を有し、前記絵板に描かれた絵を露出させる開口部と、左右の側面の少なくとも一方に設けられた前記絵板を挿抜する挿抜口を備えた組立式紙芝居舞台において、前記組立式紙芝居舞台は可撓性を有する材料によって形成され、天井板部及び底板部には前後方向への伸縮を可能にする複数の切込線が設けられると共に、前記天井板部には前記収容部内に収容された前記絵板を確認するための窓部が設けられていることを特徴とする。
【００１４】
上記課題を解決するために請求項２に記載の本発明は、請求項１に記載の組立式紙芝居舞台において、前記絵板は、表面に絵が描かれた菓子であることを特徴とする。
【００１５】
上記課題を解決するために請求項３に記載の本発明は、請求項１又は２に記載の組立式紙芝居舞台において、前記組立式紙芝居舞台の後部覆いは、前記絵板の挿抜を補助するための１又は複数の溝部を備えていることを特徴とする。
【００１６】
上記課題を解決するために請求項４に記載の本発明は、請求項３に記載の組立式紙芝居舞台において、前記溝部は、複数の折り目によって形成されることを特徴とする。
【００１７】
上記課題を解決するために請求項５に記載の本発明は、請求項１から４のいずれか１項に記載の組立式紙芝居舞台において、前記組立式紙芝居舞台は、１枚の平板状の型紙によって提供され、前記型紙には組み立てを補助するための切り込み及び折り目が設けられていることを特徴とする。
【００１８】
上記課題を解決するために請求項６に記載の本発明は、請求項２から４のいずれか１項に記載の組立式紙芝居舞台において、前記組立式紙芝居舞台は、前記絵板である菓子を収容するパッケージによって提供され、前記パッケージには組み立てを補助するための切り込み及び折り目が設けられていることを特徴とする。
【００１９】
上記課題を解決するために請求項７に記載の本発明は、請求項５又は６に記載の組立式紙芝居舞台において、前記型紙又は前記パッケージには、切り込みによって分離可能な反射部材が設けられていることを特徴とする組立式紙芝居舞台。
【発明の効果】
【００２０】
本発明に係る組立式紙芝居舞台によれば、紙芝居舞台の天井板部に収容部内に収容された絵板を確認するための窓部を設けたので演者がその都度前を覗き込まなくても一番前に位置している絵板がどのような絵板であるかを瞬時に確認することができると共に、紙芝居舞台に絵板を収容した後でも絵板が順番にきちんと並んでいるかを確認することができるという効果がある。
【００２１】
また、本発明に係る組立式紙芝居舞台によれば、紙芝居舞台を可撓性のある材料で形成すると共に、紙芝居舞台の天井板部及び底板部に前後方向への伸縮を可能にする複数の切込線を設けたので組立式紙芝居舞台が前後に伸縮するので収容すべき絵板の枚数が増減しても収容部に隙間を空けることなく絵板を保持することができるという効果がある。また、紙芝居舞台が前後へ容易に伸縮するので絵板が煎餅やクッキーなどの割れやすい菓子であっても挿抜の際に容易に割れることがないという効果がある。さらに、後部覆いに絵板の挿抜を補助するための１又は複数の溝部を備えているので可撓性を有する材質と相まって収容された絵板を前方に押圧することで絵板を挿抜することなく前方の溝へ掛止させることもできる。
【００２２】
さらに、本発明に係る組立式紙芝居舞台によれば、詰め合わせ菓子等の商品を本来の目的以外に利用でき、これによって商品の付加価値を高めて販売促進等が図られるようにしたことにより、商品の付加価値が高められ、顧客の商品購入意欲の向上及び販売促進の向上を図ることができるという効果がある。また、切り込みによって分離可能な反射部材を設けたので演者は前方から絵板を覗かなくても絵を確認できるという効果がある。
【図面の簡単な説明】
【００２３】
【図１】本発明に係る組立式紙芝居舞台の第一の実施形態の組み立て前の型紙の状態を示す平面図である。
【図２】図１の型紙を組み立てた状態の組立式紙芝居舞台を示す斜視図である。
【図３】（ａ）は後部覆いを折り込んだ状態の組立式紙芝居舞台を後方から見た状態を示す斜視図、（ｂ）その側面図である。
【図４】図２の組立式紙芝居舞台の平面図である。
【図５】本発明に係る組立式紙芝居舞台の第一の実施形態の使用例を示す斜視図である。
【図６】本発明に係る組立式紙芝居舞台の第二の実施形態の展開図である。
【図７】（ａ）は第二の実施形態における反射部材の組立後の状態を示す斜視図、（ｂ）は反射部材の他の構成例を示す斜視図である。
【図８】本発明に係る型紙の他の構成例を示す平面図である。
【図９】第一の実施形態の底板部の底面図である。
【図１０】従来の紙芝居舞台の構成を示す斜視図である。
【発明を実施するための形態】
【００２４】
１．第一の実施形態
［組立式紙芝居舞台の構成］
以下、本発明に係る組立式紙芝居舞台について、好ましい一実施形態について図面を参照しつつ詳細に説明する。図１は本発明に係る組立式紙芝居舞台の第一の実施形態の組み立て前の型紙の状態を示す平面図、図２は図１の型紙を組み立てた状態の紙芝居舞台を示す斜視図である。
【００２５】
図示された型紙２は、図１に示すように、概略として略長方形状をなし、いわゆる「ペーパークラフト」のようにして箱形枠体からなる組立式紙芝居舞台１（以下単に「紙芝居舞台１」という。）を組み立てるためのものである。型紙２は、前板部３と、後板部４と、上記前板部３と後板部４の間に位置する天井板部５と、後板部４と連続した底板部６を備えて構成されている。また、底板部６の長端縁に沿って糊代部７が設けられている。尚、この糊代部７は前板部３の長端縁側に沿って設けることもできる。そして、各部のそれぞれには所定箇所に複数の切り込み線３１〜３９や折り線２１〜２８が設けられている。尚、天井板部５及び底板部６の奥行きは絵板の厚みや収容する枚数に応じて適宜変更することができる。また、型紙２は、図８に示すように、前板部３を底板部６に連続させ、糊代部７を前板部３又は天井板部５に設ける構成であってもよい。型紙２は、例えば、長さ２６ｃｍ、幅１２．５ｃｍ、厚み０．５ｍｍの長方形を有する紙材で、前板部３を例えば、１２．５×９ｃｍ、後板部４を例えば、１２．５×９ｃｍ、上記前板部３及び後板部４を連結する天井板部５を例えば、１２．５×３ｃｍとすることができる。そして、この型紙２を組み立てることによって紙芝居舞台１が形成される。尚、材質は紙材に限らず可撓性を有する合成樹脂材料を用いても構わない。
【００２６】
切り込み線３１〜３９は、全長に亘ってカットされていても良く、或いはミシン目などを設けることで切り離し可能としてもよい。また、折り線２１〜２８は、線状の押し型による凹部形成又は単なる線や破線等の印刷により設けることができる。印刷の場合、組立時にユーザがそのまま指で折るなどして折り目を付けるか、印刷線に沿ってカッターナイフ等で浅い切れ目を入れることによって簡単に折れるようにすることもできる。尚、紙芝居舞台１の表面となる各面は無地でもよいが、適宜の色に着色し、あるいは模様、イラスト、写真等を印刷してもよい。
【００２７】
前板部３には、切込線３６及び折り線２７によって形成される上下方向に開閉する日除け部１１と、切込線３７，３８及び左右に設けられた折り線２８，２８によって観音開きに開閉可能な前扉１２，１２が形成される。また、後板部４の中央部には、折り線２３及びコ字形状の切込線３２によって形成される後部覆い１３が設けられている。この後部覆い１３を開けると、紙芝居舞台１内に収容された絵板５０ａ〜５０ｄの背面を視認することができ、これにより絵板５０ａ〜５０ｄの背面に記載された記号や解説文を読み取ることができる。後部覆い１３は前方側（座絵板３側）に折り込んでも、それとは反対に後方側に折り倒すことができる。後部覆い１３を前方に折り込む場合には、図３に示すように、後部覆い１３を図９（ｂ）に示すように山折りと谷折りを繰り返することにより凹凸に折り込んで絵板の挿抜を補助するための１又は複数の溝４１を形成することができる。このとき前方側がやや低くなるように後部覆い１３を傾斜させて折り込むようにすれば溝４１に掛止絵板５０ａ〜５０ｄを前方に押圧することで絵板５０ａ〜５０ｄを挿抜することなく溝４１を乗り越えさせながら前方の溝４１へ移動させることもできる。さらに、日除け部１１の左右両側の上方及び前板部３の左右の両端側の下方には、それぞれ切込線３９，３９が設けられており、この切込線３９，３９に日除け部１１の両側縁部や前扉１２，１２の下縁部を係止させることで日除け部１１や前扉１２，１２を固定することができる。
【００２８】
天井板部５は、折り線２５，２６によって前板部３と後板部４との間に形成されており、この天井板部５には三角形状に開口した窓部１４を形成するための切込線３３が設けられ、さらに三角形状の切込線３３の２つの斜辺に沿うようにして略斜めに一対の切込線３４，３４が設けられると共に、この切込線３４，３４と折り線２６に沿うようにして切込線３５が設けられている。切込線３４，３４のそれぞれの一端部は天井板部５の縁部と連続しており、切込線３５の両側は天井板部５の天井板部５の縁部には連続していない。
【００２９】
底板部６は、後板部４との間に設けられた折り線２２によって後板部４と連続されて配置されている。底板部６には、幅方向に沿って所定の長さの切込線３１，３１が交互に設けられている。図１の底板部６には両側にそれぞれ４列と、その間に３列の切込線３１，３１が設けられている。この切込線３１，３１により、底板部６は天井板部５の切込線３４，３５と共に前後に伸縮できるようになっている。後板部６は、例えば、１２．５×４０ｍｍの大きさに形成される。また、後板部６には折り線３３を境にして糊代部７が設けられている。天井板部５と底板部６の奥行きを同一にすることで紙芝居舞台１を横から見て方形状にすることができ、底板部６の奥行きを天井板部５よりも長くすれば安定性のよい台形状にすることができる。そして、両側部には絵板５０ａ〜５０ｄを挿抜するための挿抜口１０ａ、１０ｂが形成されている。
【００３０】
一方、紙芝居に使用する絵板は紙やカードなどに描かれたものを使用するのが一般的であるが、近年では煎餅やチョコレート等の菓子の表面に印刷によって詳細な絵柄を描くことが可能となっており、そのような絵が描かれた菓子を絵板として使用することができる。そして、そのような菓子が詰められた菓子箱内に付属品として上述の型紙２を同梱し、菓子を購入した需要者が型紙２から紙芝居舞台１を組み立ててもらうようにすれば需要者の購買意欲を刺激することができる。また、菓子を詰めた菓子箱（パッケージ）自体に上述した切込線や折線を設けた状態で販売することもできる。絵板として使用する菓子としては、四角い形状と適度な硬さを有し、且つ、比較的厚みが薄い、例えば、煎餅や板チョコなどの硬質な菓子が望ましい。そして、菓子の表面に物語のシーン（場面）を示す絵やイラスト等を描き、裏面には提示する順番を示すシーン番号（登場番号）やシーンの説明文を表示する。尚、絵板となる菓子はそれぞれ透明の包装紙で包装された状態となっているのでシーン番号の表示は直接記載しなくても裏面側の包装紙に番号を記載したシールを貼付することにより行うこともできる。また、菓子にシーンの説明文を表示すことができない場合などには別途説明文を付属させてもよい。
【００３１】
［紙芝居舞台の組み立て］
次に、上述した型紙２を組み立てて紙芝居舞台１を形成する手順について図１を参照して説明する。順序はこれに限定されるものではなく適宜の順序で組み立てることができる。
（１）まず、型紙２に設けられている切込線３２，３６，３７，３８に沿って切り離し、日除け部材１１、前扉１２，１２、後部覆い１３のそれぞれを分離する。また、切込線３３に沿って三角形に抜き取って窓部１４を形成する。窓部１４を設けたことにより内部が見えるだけでなく持ち手としても利用することができる。
（２）次いで、折り線２７，２８を利用して日除け部１１及び前扉１２，１２を形成する。
（３）同様にして、切込線３２に沿って後部覆い１３を形成し、さらに折り線２３沿って後部覆い１３を図２の後方側へ折り曲げて開口とする。尚、後部覆い１３は前方に折り込んだ場合には山折り谷折りを繰り返して溝４１を形成することができる。これによって絵板５０ａ〜５０ｄの位置決め及び出し入れが容易になる。尚、溝４１は形成せずに平坦状にしておくこともできる。
（４）さらに、折り線２１に沿って糊代部７を図１の奥側方向へ折り曲げて折り癖を付け、糊代部７の表面に別途用意した糊（図示せず）を塗布し、この塗布部分を前板部３の端辺の内側に貼り付ける。
（５）そして、折り線２２，２５，２６のそれぞれの折り曲げ角度を９０°になるようにして全体が箱型になるようにする。すると、図２〜図４に示すような紙芝居舞台１が完成する。
【００３２】
［紙芝居舞台の使用例］
次に、紙芝居舞台１の使用例について説明する。図５は紙芝居舞台の使用例を示す斜視図である。まず、図２〜図４のように組立てられた紙芝居舞台１をテーブル等の上に置く。そして、日除け部材１１及び前扉１２，１２を９０°に折り曲げる。このとき、日除け部材１１及び前扉１２，１２はそれぞれ係止片１６，１７に係止することにより固定することもできる。次に、図２に示す紙芝居舞台１の収容部４０に菓子によって形成された所定枚数の絵板５０ａ〜５０ｄを絵が観客側に向くようにして所定の順序でセットする。尚、ここでは便宜上４枚であるがこれに限るものではない。絵板５０ａ〜５０ｄの数が多い場合や厚みのある菓子等の場合には、切込線３１，３４，３５によって天井板部５及び底板部６が延びるので容易に収納することができる。尚、使用する絵板の全てを収容部４０に収容する必要はなく、絵板は適宜に挿抜するようにしてもよい。
【００３３】
準備が整ったところで演者は１枚目の絵板５０ａに基づき紙芝居を実施する。このとき、天井板部５に設けられた窓部１４や切込線３４，３５によって開口した部分から紙芝居舞台１の収容部４０に収容された絵板５０ａ〜５０ｄを後方から確認することができるので絵板５０ａ〜５０ｄの裏面に表示されたシーン番号を確認することで絵板５０ａ〜５０ｄが順番にきちんと並んでいるかを演者が瞬時に把握することができる。そして、演者は物語の進行に合わせて絵板５０ａ〜５０ｄを適宜に挿抜口１０ａ、１０ｂから排出する。そして、上演が終わった絵板５０ａ〜５０ｄは食べることも、再度紙芝居に用いることもできる。また、紙芝居舞台１に写真を収容することでフォトスタンドとして利用することもできる。
【００３４】
２．第二の実施形態
次に、第二の実施形態について説明する。図６は本発明に係る紙芝居舞台の第二の実施形態の展開図である。図６に示すように、本実施形態では後板部４の一方の側辺に反射部材８を設けたものである。この反射部材８は、後板部４との間に設けられた切込線８１によって分離可能とされ、中間部には上下を二分するようにして折り線８３が設けられ、その上部には、例えば、反射鏡となるアルミニウム箔等による円形の反射シール１８が貼り付けられて形成されている。そして、反射シール１８の下部の側には所定長の折り線８４が設けられ、この折り線８４の両端には垂直に切込線８２，８２が設けられている。尚、反射シール１８は円形としたが四角形や反射部材８の片面全域に反射シールを設ける等の構成とすることもできる。
【００３５】
この反射部材８を切込線８１から分離して組み立てたのが図７（ａ）であり、切込線８１を境に一対の前脚部８ａ，８ａと後脚部８ｂを前後に折り曲げて自立させる。そして、反射シール１８紙芝居舞台１の前方に配置する。これにより、観客側に向いている紙芝居の絵の内容を演者が紙芝居舞台１の前方から絵を除かなくても絵板５０ａ〜５０ｄを確認することができる。
【００３６】
一方、図７（ｂ）は、反射部材の他の実施形態を示す斜視図である。本実施形態に係る反射部材９は２つの反射シール１９，１９が並列されている略中央部に設けた折り線９１に沿って二つ折りにして屏風の如くに立てることができるようにしたものである。
【００３７】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。
【符号の説明】
【００３８】
１      組立式紙芝居舞台
２      型紙
３      前板部
４      後板部
５      天井板部
６      底板部
７      糊代部
８，９      反射部材
１０ａ，１０ｂ      挿抜口
１１      日除け部材
１２      前扉
１３      後部覆い
１４      窓部
１５      板紙
１６，１７      係止片
１８，１９      反射シール
２０ａ，２０ｂ      切込線
２１〜２８      折り線
３１〜３９      切込線
４０      収容部
４１      溝
５０ａ，５０ｂ，５０ｃ，５０ｄ      絵板
【図１】
2014200317.tif 000003
【図２】
2014200317.tif 000004
【図３】
2014200317.tif 000005
【図４】
2014200317.tif 000006
【図５】
2014200317.tif 000007
【図６】
2014200317.tif 000008
【図７】
2014200317.tif 000009
【図８】
2014200317.tif 000010
【図９】
2014200317.tif 000011
【図１０】
2014200317.tif 000012